(57)【要約】【課題】コネクタの大型化を回避し、キャビティ内のシール性を確保する。【解決手段】ハウジング１０のキャビティ２０には、後方から端子金具９０とともにシール部材５０が挿入され、さらにシール部材５０の後方に、電線８０を屈曲させた状態で保持することが可能な保持部材６０が挿入される。保持部材６０には、電線８０を支持する支持面６８とは反対側の位置に、キャビティ２０に挿入された状態で、キャビティ２０の内壁に臨むように開口するとともに、キャビティ２０の内外に貫通する水抜き孔６７が設けられている。【選択図】図２
2016076410.tif 000002
【特許請求の範囲】
【請求項１】
電線の端部に接続された端子金具を挿入可能なキャビティを有するハウジングと、
前記端子金具とともに前記キャビティに後方から挿入され、内周面が前記電線の外周面に弾性的に密着し、外周面が前記キャビティの内周面に弾性的に密着する筒状のシール部材と、
前記端子金具及び前記シール部材に続いてキャビティに挿入され、前記キャビティ内にて、前記電線を屈曲させた状態で保持することが可能な保持部材とを備え、
前記保持部材には、前記電線を支持する支持面とは反対側の位置に、前記キャビティに挿入された状態で、前記キャビティの内壁に臨むように開口するとともに、前記キャビティの内外に貫通する水抜き孔が設けられていることを特徴とするコネクタ。
【請求項２】
前記保持部材は、前記キャビティに挿入された状態で、前記シール部材との間に空間部が形成されていることを特徴とする請求項１記載のコネクタ。
【発明の詳細な説明】
【技術分野】
【０００１】
本発明は、コネクタに関する。
【背景技術】
【０００２】
特許文献１に開示のコネクタは、後方から端子金具を挿入可能なキャビティを有するハウジングと、ハウジングの後面側に装着されるカバーとを備えている。カバーは、ハウジングに装着された状態で、ハウジングの後面後方に露出して配置される電線保持部を有している。電線保持部にはキャビティから導出される電線を嵌め込み可能な保持溝部が設けられ、ハウジングとカバーとの間に電線を屈曲させた状態で保持可能とされている。この場合、キャビティ外に導出された電線に対して振動や引っ張り等の外力が作用しても、電線保持部のストレインリリーフ作用によって端子金具側に外力が伝わるのが抑えられるため、端子金具が相手端子金具との接続状態を良好に維持することができるようになっている。
【０００３】
また、特許文献２に開示のコネクタは、ホルダが取り付けられるハウジングと、ホルダとハウジングとの間に挟持されるシール部材とを備えている。ホルダには電線を遊挿可能な電線遊挿孔が設けられている。そして、ホルダの電線遊挿孔には位置決め部材が挿入され、挿入された位置決め部材と電線遊挿孔の内壁との間に電線が屈曲された状態で保持可能とされている。この場合も、上記同様、位置決め部材のストレインリリーフ作用がはたらくため、電線への外力がシール部材に伝わるのが抑えられ、シール部材のシール性を良好に維持することができるようになっている。
【先行技術文献】
【特許文献】
【０００４】
【特許文献１】特開２００３−７３８４号公報
【特許文献２】特開２０１３−９８０７２号公報
【発明の概要】
【発明が解決しようとする課題】
【０００５】
特許文献１の場合、ハウジングの後方に電線保持部が並んで配置されるため、コネクタの前後長が長くなるという事情がある。一方、特許文献２によれば、ホルダの電線遊挿孔に位置決め部材が挿入されるため、コネクタの前後長が格別長くなるということはない。また、特許文献２の場合、ハウジンングとホルダとが別体であって、ハウジングとホルダとの間にシール部材が挟持されるため、ホルダの電線遊挿孔に挿入された位置決め部材によってキャビティ内のシール性に悪影響を及ぼすおそれは少ない。しかし、仮に、キャビティ内に位置決め部材が挿入されるとすると、シール部材と位置決め部材との間に密閉空間が形成されてしまうため、該密閉空間に水が滞留する可能性があり、キャビティ内のシール性が低下するおそれがある。
【０００６】
本発明は上記のような事情に基づいて完成されたものであって、大型化を回避した上で、キャビティ内のシール性を確保することができるコネクタを提供することを目的とする。
【課題を解決するための手段】
【０００７】
本発明のコネクタは、電線の端部に接続された端子金具を挿入可能なキャビティを有するハウジングと、前記端子金具とともに前記キャビティに後方から挿入され、内周面が前記電線の外周面に弾性的に密着し、外周面が前記キャビティの内周面に弾性的に密着する筒状のシール部材と、前記端子金具及び前記シール部材に続いてキャビティに挿入され、前記キャビティ内にて、前記電線を屈曲させた状態で保持することが可能な保持部材とを備え、前記保持部材には、前記電線を支持する支持面とは反対側の位置に、前記キャビティに挿入された状態で、前記キャビティの内壁に臨むように開口するとともに、前記キャビティの内外に貫通する水抜き孔が設けられているところに特徴を有する。
【発明の効果】
【０００８】
保持部材がキャビティに挿入されると、保持部材がキャビティ内で電線を屈曲させた状態で保持するため、キャビティ外で電線を保持する場合と違って、コネクタが大型になるのを回避することができる。また、保持部材における電線を支持する支持面とは反対側の位置にはキャビティの内壁に臨むように開口するとともにキャビティの内外に貫通する水抜き孔が設けられているため、仮に、キャビティ内で保持部材とシール部材との間に水が浸入しても、該水を、水抜き孔を通してキャビティ外に排水することができる。
【図面の簡単な説明】
【０００９】
【図１】本発明の実施例１に係るコネクタの正面図である。
【図２】同じく、図１のＸ−Ｘ線断面図である。
【図３】同じく、図２のＹ−Ｙ線断面図である。
【図４】同じく、ハウジングの背面図である。
【図５】同じく、図４のＺ−Ｚ線断面図である。
【図６】同じく、保持部材の正面図である。
【図７】同じく、保持部材の側面図である。
【図８】同じく、保持部材の平面図である。
【図９】本発明の実施例２に係るコネクタの図３相当図である。
【図１０】同じく、保持部材の正面図である。
【図１１】同じく、保持部材の側面図である。
【図１２】同じく、保持部材の平面図である。
【発明を実施するための形態】
【００１０】
本発明の好ましい形態を以下に示す。
前記保持部材は、前記キャビティに挿入された状態で、前記シール部材との間に空間部が形成されている。保持部材とシール部材との間に空間部が形成されているため、該空間部に水が滞留し易いという事情がある。その点、本発明の構成によれば、水抜き孔からの排水が可能とされているため、空間部に水が滞留するのを防止することができる。
【００１１】
＜実施例１＞
以下、実施例１を図１〜図８によって説明する。実施例１に係るコネクタは、ハウジング１０と、ハウジング１０に収容される端子金具９０と、ハウジング１０に取り付けられる保持部材６０とを備えている。ハウジング１０は、図示しない相手ハウジングと嵌合可能とされている。なお、以下の説明において、前後方向については、ハウジング１０が嵌合開始時に相手ハウジングと向き合う面側を前側とし、上下方向については、図１〜図７を基準とする。幅方向は、図１、図３、図４、図６及び図８の左右方向である。
【００１２】
ハウジング１０は合成樹脂製であって、図１、図２及び図５に示すように、後方から端子金具９０を挿入可能な略ブロック状のハウジング本体１１と、ハウジング本体１１の周りを取り囲む略筒状の嵌合筒部１２と、嵌合筒部１２とハウジング本体１１とをつなぐ径方向に沿った連結部１３とを有している。ハウジング本体１１と嵌合筒部１２との間で、且つ連結部１３の前方には、相手ハウジングを嵌合可能な嵌合空間１４が開放して形成されている。
【００１３】
図１、図２及び図５に示すように、ハウジング本体１１の上方には、ロックアーム１５が配置されている。図１及び図４に示すように、ロックアーム１５は、ハウジング本体１１の上面から起立する幅方向に一対の脚部１６と、両脚部１６の上端から前後両方向に延びる板状のアーム本体１７とを有している。ハウジング１０が相手ハウジングと嵌合される過程では、アーム本体１７が脚部１６を支点としてシーソ状に弾性変位する。ハウジング１０が相手ハウジングと正規嵌合されると、アーム本体１７が弾性復帰して相手ハウジングに係止可能に配置され、これによって両ハウジングが嵌合状態に保持されるようになっている。
【００１４】
図１及び図４に示すように、嵌合筒部１２の上部には、アーム本体１７を挟んだ幅方向の両側に一対の起立壁１８が立設され、両起立壁１８の上端部の前端間に架橋壁１９が架設されている。両起立壁１８間で、且つ架橋壁１９の後方には、ロックアーム１５の上面が上方に露出して配置されている（図２及び図５を参照）。
【００１５】
図２及び図５に示すように、ハウジング本体１１の前端部は、嵌合筒部１２の前端よりも前方に突出して配置されている。ハウジング本体１１には、複数のキャビティ２０が前後に貫通して形成されている。この場合に、複数のキャビティ２０は、横並びで対をなして配置されている。キャビティ２０の下壁には、撓み可能なランス２１が前方に突出して設けられている。ランス２１の前端部には、爪状の係止突起２２が上方に突出して形成されている。この場合に、ランス２１の前端部の前面及び両側面は、外部に露出した状態になっているものの、後にハウジング本体１１に取り付けられる図示しないフロント部材に覆われることで、外部から保護される。
【００１６】
図２及び図５に示すように、キャビティ２０の略後半部は、ランス２１の後方において、シール部材５０を挿入可能な断面円形のシール部材収容室２３とされている。シール部材収容室２３は、キャビティ２０の略前半部よりも大きい開口径で構成されている。シール部材収容室２３には、後方からシール部材５０が挿入され、さらに保持部材６０の後述する保持本体６１が挿入されるようになっている。
【００１７】
図３及び図４に示すように、ハウジング本体１１の略後半部には、連結部１３の後方に、シール部材収容室２３を包囲する円筒状の筒部２４が設けられている。筒部２４は、背面視してやや縦長の形態をなし、両キャビティ２０と対応するように横並びに対をなして配置されている。そして、両筒部２４は、幅方向の中央部で一体に連結されている。図４及び図５に示すように、両筒部２４の後端部の下面には、係止受け部２５が突設されている。係止受け部２５は、横長の矩形板状をなし、両筒部２４間に跨って配置されている。図３に示すように、係止受け部２５の前面には、幅方向に一対の嵌合リブ２６が突設されている。嵌合リブ２６は、突起状をなし、係止受け部２５の前面と筒部２４の下面とに一体に連結されている（図５を参照）。
【００１８】
端子金具９０は、導電性の金属板を曲げ加工等して一体に成形され、図２に示すように、全体として前後方向に細長い形態になっている。端子金具９０は、筒状の本体部９１と、本体部９１の後方に連なるワイヤバレル９２と、ワイヤバレル９２の後方に連なるインシュレーションバレル９３とからなる。本体部９１の下壁の後端部には、ランス受け部９４が形成されている。端子金具９０は、ハウジング本体１１のキャビティ２０に後方から挿入される。端子金具９０がキャビティ２０に正規に挿入されると、本体部９１のランス受け部９４にランス２１の係止突起２２が弾性的に係止され、これによって端子金具９０がハウジング本体１１に対して抜け止めされた状態に保持されるようになっている。また、ハウジング１０が相手ハウジングに嵌合されると、本体部９１に図示しない相手端子金具の雄タブが挿入され、両端子金具が電気的に接続される。
【００１９】
図２に示すように、ワイヤバレル９２は、電線８０の前端部において被覆８１の除去により露出する導体部８２に圧着により接続されている。インシュレーションバレル９３は、電線８０の前端部の被覆８１に外嵌されたシール部材５０に圧着により接続されている。
【００２０】
シール部材５０は、シリコンゴム等のゴム製であって、図２に示すように、全体として前後方向に細長い略円筒状をなしている。シール部材５０の後端部の外周面及び内周面には、リップ部５１が周回して形成されている。シール部材５０が電線８０に外嵌されると、内側のリップ部５１が電線８０の外周面に弾性的に密着される。また、端子金具９０がハウジング１０のキャビティ２０に正規に挿入されると、シール部材収容室２３にシール部材５０が挿入され、外側のリップ部５１がシール部材収容室２３の内周面に弾性的に密着される。
【００２１】
続いて、保持部材６０について説明する。保持部材６０は合成樹脂製であって、ハウジング１０とは別体の形態とされている。具体的には、図６〜図８に示すように、保持部材６０は、両キャビティ２０のシール部材収容室２３に挿入可能な保持本体６１と、ハウジング１０の係止受け部２５に係止可能な係止部６２と、係止部６２と保持本体６１とをつなぐ背板部６３とを有している。
【００２２】
背板部６３は、図６に示すように、上下方向に沿った略平板状をなし、図２に示すように、保持部材６０がハウジング１０に取り付けられた状態でハウジング１０の外側に位置し、係止受け部２５の後面に当接可能に配置される。背板部６３の上部には、幅方向両側に拡幅された形態の拡幅部６４が設けられている。
【００２３】
保持本体６１は、図６及び図７に示すように、背板部６３の拡幅部６４から前方に突出する幅方向に一対の支持部６５によって構成されている。両支持部６５は、それぞれ、正面視して略下半円状をなし、互いに独立して突出する形態とされている。保持部材６０がハウジング１０に取り付けられると、図３に示すように、両支持部６５がそれぞれ対応するキャビティ２０のシール部材収容室２３に挿入され、支持部６５の外周面がシール部材収容室２３の略下半部の内周面に沿って配置されるようになっている。また、保持部材６０がハウジング１０に取り付けられると、図２に示すように、シール部材５０の後方に支持部６５が配置され、シール部材５０と支持部６５との間に空間部６６が形成されるようになっている。
【００２４】
図３及び図６に示すように、両支持部６５の外周面の下端には、水抜き孔６７が開口して設けられている。水抜き孔６７は、断面円弧状をなし、保持部材６０を前後に貫通して、支持部６５の前面に略上半円状に開口するとともに、背板部６３の後面に円状に開口する形態とされている。シール部材収容室２３の空間部６６に浸入した水は、水抜き孔６７を通して外部に排水可能となっている。
【００２５】
図２に示すように、支持部６５の上面には、電線８０を支持する支持面６８が設けられている。支持面６８の前部は、前端から後方へ向けて次第に上り勾配となるテーパ状の傾斜面６９とされ、支持面６８の後部は、傾斜面６９の後端から背板部６３の後端にかけてほぼ同一高さで連なる水平面７０とされている。また、支持面６８は、全体として幅方向に沿った平坦な面とされている。保持部材６０がハウジング１０に取り付けられると、図２に示すように、支持部６５の水平面７０と、シール部材収容室２３の略上半部の内周面との間に、電線８０が上下方向に挟んで保持される。
【００２６】
図２に示すように、電線８０は、シール部材５０の後端から支持部６５の前端にかけて前後方向にほぼ真っ直ぐ配置される第１部分８３と、支持部６５の傾斜面６９の傾斜方向に沿って前後方向に対して斜めに配置される第２部分８４と、支持部６５の水平面７０に沿って前後方向にほぼ真っ直ぐ配置される第３部分８５とを有している。電線８０のうち、第１部分８３と第２部分８４との間及び第２部分８４と第３部分８５との間は、屈曲部位８６とされている。
【００２７】
また、図６及び図８に示すように、支持部６５には、支持面６８（傾斜面６９と水平面７０の両方）の幅方向（傾斜面６９の傾斜方向と直交する方向）の両側に、一対の側壁７１が立設されている。両側壁７１は、支持部６５の支持面６８の幅方向両端に沿って前後方向に延びるリブ状の形態とされている。そして、両側壁７１の上端は、前後方向の略全長に亘って同一高さで連なっている（図７を参照）。両側壁７１の内面（両側壁７１の対向面）は、図８に示すように、支持面６８と略直交する上下方向に沿った遊動規制面７２とされている。図３に示すように、電線８０が支持部６５の支持面６８に支持された状態では、電線８０の幅方向両側に両側壁７１が対向して配置され、電線８０の幅方向への遊動が両側壁７１によって規制されるようになっている。とくに、両側壁７１のうち、傾斜面６９の幅方向両側に配置される部分は、水平面７０の幅方向両側に配置される部分よりも高さ寸法が大きいため、傾斜面６９の幅方向両側に配置される部分の遊動規制面７２によって、電線８０の第２部分８４（屈曲部位８６間の部分）の幅方向への遊動が効果的に抑えられるようになっている。
【００２８】
図６及び図７に示すように、係止部６２は、背板部６３の下端部から前方に突出する基部７３を有している。基部７３は、図６に示すように、背板部６３の下端部の幅寸法よりも大きい幅寸法で、且つ、図７に示すように、支持部６５の前後寸法（突出寸法）よりも小さい前後寸法を有する平板状の形態とされている。基部７３の前端の幅方向略中央部には、爪状の係止本体７４が上方に突出して形成されている。図７に示すように、係止本体７４の後面は、上下方向に沿って切り立つ係止面７５とされている。図６に示すように、背板部６３には、係止本体７４の係止面７５を成形するための図示しない金型の引き抜きに起因する型抜き孔７６が前後に貫通して形成されている。
【００２９】
図６及び図７に示すように、基部７３には、その幅方向両端に沿いつつ前後方向の全長に亘って延びる一対の保護壁７７が立設されている。両保護壁７７は背板部６３に一体に連結されており、両保護壁７７によって基部７３の剛性が高められている。また、図６に示すように、両保護壁７７は、係止本体７４を挟んだ幅方向両側において、係止本体７４との間に所定の間隔をあけて対向して配置されている。図７に示すように、係止本体７４の上下寸法（突出寸法）は、両保護壁７７の上下寸法よりも小さくされ、側面視において、係止本体７４は、保護壁７７に隠れて見えない状態になっている。
【００３０】
次に、実施例１のコネクタの作用効果を説明する。
ハウジング１０の両キャビティ２０に後方から端子金具９０が挿入される。すると、端子金具９０がランス２１によって弾性的に係止され、且つ、シール部材５０がシール部材収容室２３に液密に挿入される。このとき、シール部材５０は、シール部材収容室２３の略前半部に収容される。
【００３１】
続いて、ハウジング１０の両キャビティ２０のシール部材収容室２３に後方から保持部材６０の両支持部６５が挿入される。支持部６５がシール部材収容室２３に挿入される過程では、背板部６３の前面がハウジング本体１１の後面に向き合うように配置され、支持部６５と係止部６２との間に係止受け部２５が上下方向に挟み込まれる（図２を参照）。また、支持部６５がシール部材収容室２３に挿入される過程では、係止部６２の係止本体７４が係止受け部２５を摺動し、基部７３が背板部６３側を撓み支点として下方へ撓み変形させられる。
【００３２】
図２に示すように、支持部６５がシール部材収容室２３に正規に挿入されると、基部７３が弾性的に復帰し、係止本体７４の係止面７５が係止受け部２５の前面に係止可能に配置される。これにより、保持部材６０がハウジング１０に対して抜け止めされた状態に保持される。このとき、図３に示すように、係止本体７４は両保護壁７７によって幅方向両側が保護された状態にあるため、幅方向両側からの外部異物が係止本体７４と干渉するのが回避され、係止部６２と係止受け部２５との係止状態が良好に維持される。また、係止部６２が係止受け部２５に係止された状態では、図３に示すように、係止受け部２５の両嵌合リブ２６間に係止本体７４が略位置決めされた状態で嵌まり込み、これによって係止受け部２５に対する係止部６２の相対位置が幅方向に位置ずれするのが防止される。
【００３３】
図２に示すように、係止受け部２５は、係止部６２によって抱持されるように配置され、基部７３の上面において係止本体７４と背板部６３との間に前後方向に挟まれた状態となる。そして、図２及び図３に示すように、かかる係止状態にある係止部６２と係止受け部２５とによって、ハウジング１０の後端部の下面に、手持ち用の把持部７８が形成される。把持部７８は、係止部６２によってその外形が規定され、指を掛けるのに適した横長のリブ状の形態になっている。例えば、嵌合状態にある両ハウジングを離脱させる際には、把持部７８とロックアーム１５の後端部とに指を掛け止め、その状態で、両ハウジングを互いに引き離せばよい。
【００３４】
また、支持部６５がシール部材収容室２３に正規に挿入されると、図２に示すように、支持部６５の支持面６８に電線８０が屈曲した状態で支持され、電線８０の第３部分８５が屈曲部位８６を介して支持部６５の水平面７０とシール部材収容室２３の略上半部の内周面との間に挟持される。このとき、図３に示すように、電線８０の第２部分８４及び第３部分８５の幅方向両側に一対の側壁７１が対向して配置され、電線８０の第２部分８４及び第３部分８５の幅方向への遊動が側壁７１の遊動規制面７２によって規制されるようになっている。
【００３５】
仮に、ハウジング１０から導出された電線８０が導出方向と交差する方向に振動すると、その振動がシール部材５０側に伝わり、シール部材５０のシール性が低下するおそれがある。また、電線８０の振動が端子金具９０側に伝わると、端子金具９０が図示しない相手端子金具と接続されたときに、両端子金具が互いに微摺動摩耗するおそれがある。しかし、本実施例１の場合、電線８０の第３部分８５が屈曲部位８６を介して支持部６５とシール部材収容室２３の内周面との間に挟持されているため、電線８０の振動がシール部材５０側及び端子金具９０側に伝わるのが抑えられ、シール部材５０のシール性が低下するのが防止され、且つ両端子金具が微摺動摩耗する事態が回避される。とくに、電線８０の第２部分８４の幅方向への遊動が両側壁７１によって規制されるため、シール部材５０側及び端子金具９０側への振動の伝搬がより確実に抑えられるようになっている。
【００３６】
また、図２に示すように、支持部６５がシール部材収容室２３に正規に挿入されると、シール部材５０と支持部６５との間に前後方向に比較的大きな空間部６６が形成される。仮に、ハウジング１０の空間部６６に水が浸入して滞留すると、シール部材５０のシール性が低下するおそれがある。しかし、本実施例１の場合、支持部６５に水抜き孔６７が設けられ、図２に示すように、支持部６５がシール部材収容室２３に収容された状態では、水抜き孔６７がシール部材収容室２３の下端内周面に臨むように開口するため、空間部６６に浸入した水がシール部材収容室２３の下端内周面に沿いつつ水抜き孔６７を通って外部へと円滑に排水されるようになっている。したがって、空間部６６に水が滞留するのが回避され、シール部材５０のシール性が低下するのを防止することができる。
【００３７】
以上説明したように、本実施例１によれば、保持部材６０がハウジング１０に取り付けられると、支持部６５がキャビティ２０のシール部材収容室２３に挿入され、シール部材収容室２３において電線８０が屈曲した状態で保持されるため、ハウジング１０の後方に保持部材６０が大きく突出することがなく、コネクタが大型になるのを回避することできる。とくに、本実施例１の場合、従来のハウジング１０を実質的に設計変更することなくそのまま利用することができるため、汎用性に優れる。
【００３８】
また、両側壁７１が支持部６５に対する電線８０の第２部分８４の幅方向への遊動を規制するため、電線８０の幅方向への振動がシール部材５０側及び端子金具９０側に伝わるのが確実に防止される。この場合、両側壁７１の遊動規制面７２が支持面６８と直交する方向に沿って切り立つ形態になっているため、電線８０の幅方向への遊動が両側壁７１によっていっそう確実に規制されるようになっている。
【００３９】
また、係止状態にある係止部６２と係止受け部２５とによって把持部７８が形成されるため、把持部７８とは別に係止部６２と係止受け部２５とを設ける必要がなく、全体の構成を簡単にすることができる。さらに、係止部６２の係止本体７４に外部異物が干渉すると、係止本体７４が係止受け部２５から離間し、係止部６２と係止受け部２５との係止状態が不用意に解除されるおそれがあるものの、本実施例１の場合、係止部６２が係止本体７４を挟んだ両側において係止本体７４と対向して配置される一対の保護壁７７を有しているため、両保護壁７７によって係止部６２が外部異物から保護された状態となり、係止部６２と係止受け部２５との係止状態を良好に維持することができる。さらにまた、係止受け部２５が係止本体７４を位置決め状態で挟み込む一対の嵌合リブ２６を有しているため、係止部６２と係止受け部２５との係止状態を安定に保つことができる。
【００４０】
また、保持部材６０における電線８０を支持する支持面６８とは反対側の位置にはキャビティ２０のシール部材収容室２３の内壁に臨むように開口するとともにキャビティ２０の内外に貫通する水抜き孔６７が設けられているため、仮に、キャビティ２０内の空間部６６に水が浸入しても、該水を、水抜き孔６７を通してキャビティ２０外に迅速に排水することができる。
【００４１】
＜実施例２＞
図９〜図１２は、本発明の実施例２を示す。実施例２は、保持部材６０Ａの保持本体６１Ａ（両支持部６５Ａ）の構造が実施例１とは異なるが、保持本体６１Ａ以外の構造は実施例１とほぼ同様である。したがって、実施例２において、実施例１と同一又は相当する構造には、実施例１と同一の符号を付し、重複する説明を省略する。
【００４２】
図１０に示すように、保持本体６１Ａの両支持部６５Ａの支持面６８Ａは、全体として幅方向に湾曲して連なる形態とされている。具体的には、支持面６８Ａは、ここに支持される電線８０の下端部の外周面に沿うように湾曲する形態とされている。支持面６８Ａが傾斜面６９Ａと水平面７０Ａとによって構成される点は、実施例１と同様である。
【００４３】
また、図１０に示すように、一対の側壁７１Ａは、支持部６５Ａの幅方向両端部において上方へ向けてテーパ状に拡開する形態とされ、支持面６８Ａの幅方向両端に段差無く面一で連続する直線状の遊動規制面７２Ａを有している。側壁７１Ａの外側面（遊動規制面７２Ａとは反対側の面）は、キャビティ２０のシール部材収容室２３の幅方向両側の内周面に沿うように上端部が若干内側へ湾曲する形態になっている。図１１に示すように、側壁７１Ａのうち、傾斜面６９Ａの幅方向両側に配置される部分は、傾斜面６９Ａの傾斜方向に沿って傾斜する上端縁７９を有している。
【００４４】
保持部材６０Ａがハウジング１０に取り付けられ、両キャビティ２０のシール部材収容室２３に後方から支持部６５Ａが挿入されると、図９に示すように、電線８０の第３部分８５が屈曲部位８６を介して支持部６５Ａの支持面６８Ａとシール部材収容室２３の略上半部の内周面との間に挟持される。このとき、図９に示すように、電線８０の略下半部が支持部６５Ａの支持面６８Ａに密着された状態に支持されるため、電線８０に対する保持部材６０Ａの保持力が高められるようになっている。
【００４５】
＜他の実施例＞
以下、他の実施例を簡単に説明する。
（１）保持部材が、ヒンジ等を介してハウジングに一体に連結される形態であってもよい。
（２）支持部のうち、水平面の幅方向両側に配置される部分には、側壁が設けられていなくてもよい。
（３）支持部が複数のキャビティのうちの一部のキャビティにのみ挿入されて対応する電線を保持する構成であってもよい。
【符号の説明】
【００４６】
１０…ハウジング
２０…キャビティ
２３…シール部材収容室
２５…係止受け部
２６…嵌合リブ
５０…シール部材
６０、６０Ａ…保持部材
６２…係止部
６５、６５Ａ…支持部
６６…空間部
６７…水抜き孔
６８、６８Ａ…支持面
６９、６９Ａ…傾斜面
７０、７０Ａ…水平面
７１、７１Ａ…側壁（遊動規制部）
７３…基部
７４…係止本体
７７…保護壁
７８…把持部
８０…電線
８４…第２部分（電線の屈曲部位間の部分）
８６…屈曲部位
９０…端子金具
【図１】
2016076410.tif 000003
【図２】
2016076410.tif 000004
【図３】
2016076410.tif 000005
【図４】
2016076410.tif 000006
【図５】
2016076410.tif 000007
【図６】
2016076410.tif 000008
【図７】
2016076410.tif 000009
【図８】
2016076410.tif 000010
【図９】
2016076410.tif 000011
【図１０】
2016076410.tif 000012
【図１１】
2016076410.tif 000013
【図１２】
2016076410.tif 000014